(57)【要約】【課題】  ベルトにツールホルダーなどの装着具本を安定性よく通すことができるようにする。【解決手段】  ベルト４が挿通可能なベルト挿通具５を装着具本体１に設ける。ベルト挿通具５は帯状体６の下端７を装着具本体１のベルト４側に第１の固定部８を介して固定し、装着具本体１のベルト４側に沿うように配置した帯状体６の上端側を第２の固定部９を介して装着具本体１に固定する。上端側を装着具本体１と反対側に折り返した帯状体６の折り返し部10の先端11側を帯状体６の下端７側の第１の固定部８と折り返し部10側の第２の固定部９との間に摺動自在に接続する。ベルト挿通具５にベルト４を通して取り付けた際、装着具本体１の自重や装着具本体１に収容した工具の重量により装着具本体１が下がると、ベルト４を帯状体６が挟むように固定することにより、ベルト４に装着具本体１をベルト挿通具５を介して安定性よく吊り下げることができる。【選択図】図１
0003106323.tif 000002
【実用新案登録請求の範囲】
【請求項１】
ベルトが挿通可能なベルト挿通具を装着具本体に設けたベルト装着具において、前記ベルト挿通具は帯状体の下端を前記装着具本体の前記ベルト側に第１の固定部を介して固定し、前記装着具本体の前記ベルト側に沿うように配置した前記帯状体の上端側を第２の固定部を介して前記装着具本体に固定し、前記上端側を前記装着具本体と反対側に折り返した前記帯状体の折り返し部の先端側を前記帯状体の下端側と前記折り返し部側との間に摺動自在に接続することを特徴とするベルト装着具。
【請求項２】
前記折り返し部の先端側にリング体を設けると共に、該リング体に前記帯状体の第１の固定部と第２の固定部との間が挿通していることを特徴とする請求項１記載のベルト装着具。
【請求項３】
前記第１の固定部は前記装着具本体に着脱自在に固定されることを特徴とする請求項１又は２記載のベルト装着具。
【請求項４】
前記装着具本体が工具類を収容するツールホルダーであることを特徴とする請求項１〜３のいずれか１項に記載のベルト装着具。
【請求項５】
前記帯状体の前記ベルトの通し面に滑り止め部を設けることを特徴とする請求項１〜４のいずれか１項に記載のベルト装着具。
【考案の詳細な説明】
【技術分野】
【０００１】
本考案は、ベルト装着具に関するものである。
【背景技術】
【０００２】
従来、この種のものとして、工具類などを腰に吊り下げて持ち運ぶためのツールホルダが知られている。ツールホルダは、ベルトが挿通する挿通部と工具類などを収納するホルダ部とが形成されており、挿通部はホルダ本体の長手方向における上端側を折り曲げて、該ホルダ本体の反対面側にリベット等の固定手段により固定することにより扁平なリング状となっている（例えば、特許文献１）。
【特許文献１】実用新案登録第３０７７０５６号公報
【考案の開示】
【考案が解決しようとする課題】
【０００３】
しかし、従来のベルトが挿通する挿通部は孔の形状が多少変形はするもののほぼ固定式であったので、ベルトと挿通部との間には隙間が常時形成されることになり、この結果、ベルトに挿通部、ひいてはホルダ本体を安定的に取り付けることができなかった。
【０００４】
解決しようとする問題点は、ベルトが挿通可能なベルト挿通具を装着具本体に設けたベルト装着具において、ベルトにツールホルダーなどの装着具本を安定性よく通すことができるようにする点である。
【課題を解決するための手段】
【０００５】
請求項１の考案は、ベルトが挿通可能なベルト挿通具を装着具本体に設けたベルト装着具において、前記ベルト挿通具は帯状体の下端を前記装着具本体の前記ベルト側に第１の固定部を介して固定し、前記装着具本体の前記ベルト側に沿うように配置した前記帯状体の上端側を第２の固定部を介して前記装着具本体に固定し、前記上端側を前記装着具本体と反対側に折り返した前記帯状体の折り返し部の先端側を前記帯状体の下端側と前記折り返し部側との間に摺動自在に接続することを特徴とするベルト装着具である。
【０００６】
請求項２の考案は、前記折り返し部の先端側にリング体を設けると共に、該リング体に前記帯状体の第１の固定部と第２の固定部との間が挿通していることを特徴とする請求項１記載のベルト装着具である。
【０００７】
請求項３の考案は、前記第１の固定部は前記装着具本体に着脱自在に固定されることを特徴とする請求項１又は２記載のベルト装着具である。
【０００８】
請求項４の考案は、前記装着具本体が工具類を収容するツールホルダーであることを特徴とする請求項１〜３のいずれか１項に記載のベルト装着具である。
【０００９】
請求項５の考案は、前記帯状体の前記ベルトの通し面に滑り止め部を設けることを特徴とする請求項１〜４のいずれか１項に記載のベルト装着具である。
【考案の効果】
【００１０】
請求項１の考案によれば、ベルトを帯状体の下端側と折り返し部側との間に挟むように固定することにより、ベルトに装着具本体を、ベルト挿通具を介して安定性よく吊り下げることができる。
【００１１】
請求項２の考案によれば、リング体の他端が第２の固定部に係止するようになり、著しく強い帯状体によるベルトの挟み状態を回避することができる。
【００１２】
請求項３の考案によれば、帯状体の第１の固定部と第２の固定部との間に帯状体の先端側を簡単に挿通することができる。
【００１３】
請求項４の考案によれば、工事作業者などが装着することで工具類を安定よく携帯することができる。
【００１４】
請求項５の考案によれば、ベルトとベルト挿通具との滑りを抑止してより安定よく吊り下げることができる。
【考案を実施するための最良の形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１６】
図１〜図２は実施例１を示しており、同図において１はツールホルダーとしての装着具本体であり、板部２の正面側に上方を開口した工具類（図示しない）を収容する収容部３が前後に配置されている。板部２の後面側には作業者の腰用のベルト４が挿通可能な左右一対のベルト挿通具５が一体に設けられている。
【００１７】
ベルト挿通具５は上下方向に長くベルト４の幅程度の幅Ｗを有する織物状の帯状体６の下端７を装着具本体１の板部２、すなわち装着具本体１のベルト４側に左右一対となって、第１の固定部８を介して固定している。そして板部２、すなわち装着具本体１のベルト４側に沿うように配置した帯状体６の上端側を第２の固定部９を介して装着具本体１の板部２に接続している。そして、帯状体６の上端側をさらに装着具本体１の板部２と反対側に折り返してその折り返し部10に連続する先側11側に、四角枠状のリング体12の一端13を回動自在を接続すると共に、該リング体12の他端14を帯状体６の第１の固定部８と第２の固定部11との間に挿通して、帯状体６の下端７側と前記折り返し部10側との間に他端14が摺動自在に接続している。尚、第１の固定部８は、板部２に設けた固定受け部８Ａに下端７に設けた固定部本体８Ｂを着脱自在に止着している。さらに、前記帯状体６のベルト４の通し面、すなわち帯状体６の内面に滑り止め部15を設けている。
【００１８】
したがって、ベルト４を、第２の固定部９と折り返し部10と先側11とリング体12とに囲まれた部分に差し込み、そしてベルト４を腰に巻き付けると共に、収容部３に工具類を収容すると、装着具本体１自体の自重及び工具類の重量により装着具本体１が帯状体６の下端７と共にやや下がると、相対的にリング体12の他端14が帯状体６に対して上昇し、この結果第２の固定部９と折り返し部10と先側11とリング体12とに囲まれた部分が狭くなってベルト４を挟み込むように固定する。したがって、ベルト挿通具５において、ベルト４との隙間が小さくなってベルト４にベルト挿通具５を介して装着具本体１を安定性よく吊り下げることができる。
【００１９】
以上のように、前記実施例では請求項１に対応してベルト４が挿通可能なベルト挿通具５を装着具本体１に設け、ベルト挿通具５は帯状体６の下端７を装着具本体１のベルト４側に第１の固定部８を介して固定し、装着具本体１のベルト４側に沿うように配置した帯状体６の上端側を第２の固定部９を介して装着具本体１に固定し、上端側を装着具本体１と反対側に折り返した帯状体６の折り返し部10の先端11側を帯状体６の下端７側の第１の固定部８と折り返し部10側の第２の固定部９との間に摺動自在に接続することで、ベルト挿通具５にベルト４を通して取り付けた際、装着具本体１の自重や装着具本体１に収容した工具の重量により装着具本体１が下がると、先端11側が帯状体６の下端７側に対して相対的に上昇して、ベルト４を第２の固定部９と折り返し部10と先側11とリング体12との間に挟むように固定することにより、ベルト４に装着具本体１をベルト挿通具５を介して安定性よく吊り下げることができる。さらに、装着具本体１を外すときには、装着具本体１をやや持ち上げることで帯状体６が緩んで簡単に外すことなどができる。
【００２０】
また、前記実施例では請求項２に対応して折り返し部10の先端11側にリング体12を設けると共に、該リング体12に帯状体６の第１の固定部８と第２の固定部９との間が挿通していることにより、ベルト４を帯状体６で挟むように固定した際、リング体12の他端14が第２の固定部９に係止するようになり、著しく強い帯状体６によるベルト４の挟み状態を回避することができる。
【００２１】
さらに、前記実施例では請求項３に対応して第１の固定部８は、板部２に設けた固定受け部８Ａに下端７に設けた固定部本体８Ｂを着脱自在に止着していることで、固定受け部８Ａより固定部本体８Ｂを外して、リング体12を、帯状体６の第１の固定部８と第２の固定部９との間に簡単に挿通することができる。尚、挿通後においても、固定受け部８Ａに固定部本体８Ｂを止着して簡単に固定することができる。
【００２２】
また、前記実施例では請求項４に対応して装着具本体１が工具類を収容するツールホルダーであることにより、工事作業者などが装着することで工具類を安定よく携帯することができる。
【００２３】
さらに、前記実施例では請求項５に対応して前記帯状体６の前記ベルト４の通し面に滑り止め部12を設けることで、ベルト４とベルト挿通具５との滑りを抑止してより安定よく吊り下げることができる。
【実施例２】
【００２４】
図３〜図４は実施例２を示しており、前記実施例１と同一部分には同一符号を付し、その詳細な説明を省略する。装着具本体１Ａは、開閉杆21を備えたリングであって、ベルト４が挿通可能なベルト挿通具５を装着具本体１Ａに設ける。ベルト挿通具５は帯状体６Ａの下端７を装着具本体１Ａのベルト４側に第１の固定部８を介して固定している。そして、装着具本体１Ａのベルト４側に沿うように配置した帯状体６Ａの上端10側を第２の固定部９を介して装着具本体１Ａに固定し、上端10側を装着具本体１Ａと反対側に折り返した帯状体６Ａの折り返し部10の先端11側を帯状体６Ａの下端７側と折り返し部10側との間に摺動自在に接続したものである。
【００２５】
そして、実施例２においては、帯状体６Ａは、織物状の第１の帯状体22における先端11から第２の固定部９までの部分と、第１の帯状体22の後面側に配置され上端を第２の固定部９に固定すると共に下端７を第１の帯状体22の下端より前側に織り返して第１の固定部８に固定した布状の第２の帯状体23によって形成される。そして、第１の帯状体22における第２の固定部９の下方は、実施例１における板部２のような装着具本体１Ａの取付部材的な作用をなす。
【００２６】
したがって、ベルト挿通具５にベルト４を通して取り付けた際、装着具本体１Ａの自重や装着具本体１Ａに吊り下げて収容した工具の重量により装着具本体１Ａが下がると、先端11側が帯状体６の下端７側に対して相対的に上昇して、ベルト４を第２の固定部９と折り返し部10と先側11とリング体12との間に挟むように固定することにより、ベルト４に装着具本体１Ａをベルト挿通具５を介して安定性よく吊り下げることができる。
【実施例３】
【００２７】
図５〜図６は実施例３を示しており、前記実施例１と同一部分には同一符号を付し、その詳細な説明を省略する。装着具本体１Ｂは、ベルト４に沿って取り付けられる横向きのバンド状の胴当てであって、その横向き長さは作業者の腰後半分にわたるようなものであり、その横長方向の両側及び中央にベルト挿通具５が配置されている。そして、ベルト４が挿通可能なベルト挿通具５を装着具本体１Ｂに設け、ベルト挿通具５は帯状体６の下端７を装着具本体１Ｂのベルト４側に第１の固定部８を介して固定し、装着具本体１Ｂのベルト４側に沿うように配置した帯状体６の上端側を第２の固定部９を介して装着具本体１Ｂに固定し、上端側を装着具本体１Ｂと反対側に折り返した帯状体６の折り返し部10の先端11側を帯状体６の下端７側の第１の固定部８と折り返し部10側の第２の固定部９との間に摺動自在に接続することで、ベルト挿通具５にベルト４を通して取り付けた際、装着具本体１Ｂの自重や装着具本体１Ｂに吊り下げなどで収容した工具の重量により装着具本体１Ｂが下がると、先端11側が帯状体６の下端７側に対して相対的に上昇して、ベルト４を第２の固定部９と折り返し部10と先側11とリング体12との間に挟むように固定することにより、ベルト４に装着具本体１Ｂをベルト挿通具５を介して安定性よく吊り下げることができる。
【産業上の利用可能性】
【００２８】
以上のように本考案にかかるベルト装着具は、腰袋状のツールホルダや胴当て以外のツールケース、サポートベルト、チョークバック等種々の用途にも適用できる。さらに固定部は接着などでもよい。
【図面の簡単な説明】
【００２９】
【図１】本考案の実施例１を示す斜視図である。
【図２】本考案の実施例１を示す側面図である。
【図３】本考案の実施例２を示す斜視図である。
【図４】本考案の実施例２を示す側面図である。
【図５】本考案の実施例３を示す斜視図である。
【図６】本考案の実施例３を示す正面図である。
【符号の説明】
【００３０】
１  １ＡＢ  １Ｂ  装着具本体
４  ベルト
５  ベルト挿通具
６  帯状体
７  下端
８  第１の固定部
９  第２の固定部
10  折り返し部
11  先端
12  リング体
【図１】
0003106323.tif 000003
【図２】
0003106323.tif 000004
【図３】
0003106323.tif 000005
【図４】
0003106323.tif 000006
【図５】
0003106323.tif 000007
【図６】
0003106323.tif 000008